(57)【要約】【課題】魚引き通知機能の浮標構造の提供。【解決手段】一種の魚引き通知機能の浮標構造、特にすべての構成要素を浮標内部に覆うことにより、部品の水侵入又は破損を軽減できる。該浮標内部に集積回路、二つの接点備えるスイッチ、及び鋼球を設け、常時点灯により方位を表示し、魚引きの瞬間に浮標が沈み、鋼球の浮き上がりにより、電気中断信号は集積回路によって検出され、電球を点滅して魚引き信号を通知する。構造全体が単純のほか、注意を与える信号効果がある。【選択図】図３
0003128138.tif 000002
【実用新案登録請求の範囲】
【請求項１】
一種の魚引き通知機能の浮標構造において、以下の構成要素を備えた、
浮標ハウジング及び浮標内部ベースを設け、その間にねじ山と漏れ防止ガスケットで締結、浮標内部は中空状を形成し、ＬＥＤ電球を収容し、光源を透過するため、浮標の電球を収容する場所は透明状を形成し、外部より電球の点灯を確認でき、
浮標内部に電気回路、集積回路、抵抗、及び電池を設け、浮標内部にスイッチを設け、該スイッチは二つの接点と一つの鋼球より構成し、鋼球の接点は常時導通状態に維持し、電球に接続する電線の一端は接地に接続し、他端は抵抗に直列連結した後、集積回路に連結し、集積回路は電池とスイッチとそれぞれに接続し、鋼球の上下移動のため、浮標内部に孔室を設けて、パッキングを塞いでおき、
前記の構成要素により、浮標は常時に点灯し位置表示し、魚が引いたとき、浮標は素早く沈み、鋼球の反応が遅いため、宙に浮いたまま、瞬間的の電気断線状態は、集積回路により検出され、ＬＥＤ電球は所定期間を点滅し、釣り人に魚引き信号を知らせ、構成要素はすべて浮標内部に覆うことを特徴とする魚引き通知機能の浮標構造。
【請求項２】
請求項１記載の魚引き通知機能の浮標構造において、該鋼球は通常、接点と未接触状態を維持し、浮標を常時に点灯し浮標位置を表示し、魚が引いたとき、浮標は素早く沈み、鋼球の反応が遅いため、宙に浮いたまま、瞬間的の電気断線状態は、集積回路により検出され、ＬＥＤ電球は所定期間を点滅し、釣り人に魚引き信号を知らせ、構成要素はすべて浮標内部に覆うことを特徴とする魚引き通知機能の浮標構造。
【請求項３】
請求項１又は請求項２記載の魚引き通知機能の浮標構造において、該浮標の底部に貫通孔と挿入棒を設けることを特徴とする魚引き通知機能の浮標構造。
【請求項４】
請求項１又は請求項２記載の魚引き通知機能の浮標構造において、該集積回路より２本の電線を引き出して、二つの抵抗と二つのＬＥＤ電球に接続し、集積回路の制御により、二つの電球のいずれを常時点灯か、魚引きのときに点滅するかを集積回路より制御できることを特徴とする魚引き通知機能の浮標構造。
【請求項５】
請求項１又は請求項２記載の魚引き通知機能の浮標構造において、該スイッチ取付台にスイッチを取付け、該スイッチ取付台の両側に切り込み溝を設けて、Ｌ字形接点を組み込むことを特徴とする魚引き通知機能の浮標構造。
【請求項６】
請求項１又は請求項２記載の魚引き通知機能の浮標構造において、該ＬＥＤ電球は多色ＬＥＤを使用し、変色表示により、釣り人に魚引き信号を知らせることを特徴とする魚引き通知機能の浮標構造。
【考案の詳細な説明】
【技術分野】
【０００１】
本考案は一種の魚引き通知機能の浮標構造に関わるものである。すべての構成要素を浮標の内部覆い、スイッチに二つの接点を設ける。鋼球を設け、鋼球が瞬間に動作し、電気導通の中断が集積回路により検出され、一定時間の常時点灯に変わり、魚引きを通知する。
【背景技術】
【０００２】
公知技術の浮標は電池より電気供給し方位を表示するほか、夜間又は悪天候のときに表示を提供し、浮標の位置を夜間釣り者に知らせる。しかしながら、魚釣りで最も重要なことは、魚引き信号であり、魚引きが分からないと大波や視野が不良など、魚は餌を食べた後逃げてしまうと、浮標使用の意義を失われる。
【０００３】
この欠点の改善を図り、数種類の浮標が開発された。しかしながら、その種の浮標は、魚引き信号は有するものの、位置表示できない、又は装置の棒体を外部に露出させ、内部にパッキングを設け漏れ防止しているが、パッキングは棒体の移動性を干渉し、誤動作または使用できないほか、水侵入などの不具合が発生するため、さらに改善が必要である。
【０００４】
図１、２は特許文献１夜光表示の魚浮標構造の立体分解図と組合せ断面視図である。浮標内部に緑灯３、赤灯３ａ、電池ケース４、コンタクトスイッチ５、磁石台５ａ、隔離片６及び調節ナット７より構成する。該電池ケース４内部に電池セット４ａを取り付けて、その上部は赤灯３ａ、緑灯３に連結し、底部はコンタクトスイッチ５に連結する。該コンタクトスイッチ５内部に磁球５ｂを設け、緑灯３と赤灯３ａより延ばした負極を上・下Ｌ字形接触片５ｃ、５ｄに接続して、コンタクトスイッチ５の上・下部に接続する。浮標内部に磁石台５ａを設け、底部にばね８及び釣り竿９に連結する。釣り竿９に隔離片６と調節ナット帽７を装入し、調節ナット７により、ばね８の張力を調節できる。浮標は水面上に浮き上がったとき、磁球５ｂは上部Ｌ字形接触片５ｃに突き上げて、緑灯３を点灯する。釣り竿９が釣り針の引っ張りにより、磁石台５ａを水面下に沈み、磁球５ｂが降下し下部Ｌ字形接触片５ｄに接触して、赤灯３ａを点灯し、釣り人に魚引きを知らせて、釣り竿を素早く引き上げることの特徴を有する。
【０００５】
【特許文献１】台湾特許第８４２１６９３１号明細書
【０００６】
しかしながら、それらの考案は、なお以下の欠点が存在する。
１．構造が複雑である。魚引き信号による点灯方式は、より簡単な構造で前記した効果を実現できる。複雑な構造は故障しやすいほか、コスト高になる。
２．その磁石リング、磁球も磁気減衰により、誤動作の原因となる。
３．水侵入防止の機能と釣り竿の自由性に相反するため、水侵入を防止できる反面釣り竿の自由性に干渉し、信号の不明確または誤動作の原因となる。
４．その構造において、釣り竿を通すため、水侵入による破損のチャンスが増えるほか、構造的に破損しやすい。
５．磁気制御の動作信号が弱いため、誤動作又は接触不良による回路断線の問題が起きる。
６．磁石台周りの磁気力により、磁球を中央部に浮き上がることを図る。しかし、これはあくまでも目標であり、磁球を浮き上がる状態に維持することは困難である。その上下に動作し、上・下部に備える接触片に接触させることは、もっと難しい。よって、該公知技術は実施困難の問題が存在する。
７．魚引きのとき、磁石台は瞬間に動作するが、そのとき磁球も追随して移動するかは未知数である。また、磁石台の瞬間移動範囲が磁気制御の範囲を超えてしまうと、磁球は磁気による誘導力を失い、その効果に疑問がある。
【考案の開示】
【考案が解決しようとする課題】
【０００７】
すべての構成要素を浮標の内部に覆い、水侵入及び破損を軽減し、検出動作をより確実にする。浮標内部に集積回路、二つの接点を有するスイッチ、鋼球を設け、常時点灯により方位を表示する。浮標は魚が引いたとき素早く沈み、鋼球の浮き上がりによる電気断線は、集積回路より検出して、所定期間を点滅させ、魚引きの信号として知らせる。これにより、構造単純、方位表示、及び魚引き信号を知らせる効果の特徴により、前記した欠点解消を図る、一種の魚引き通知機能の浮標構造を提供することを本発明の主な目的である。
【課題を解決するための手段】
【０００８】
請求項１の考案は、一種の魚引き通知機能の浮標構造において、以下の構成要素を備えた、
浮標ハウジング及び浮標内部ベースを設け、その間にねじ山と漏れ防止ガスケットで締結、浮標内部は中空状を形成し、ＬＥＤ電球を収容し、光源を透過するため、浮標の電球を収容する場所は透明状を形成し、外部より電球の点灯を確認でき、
浮標内部に電気回路、集積回路、抵抗、及び電池を設け、浮標内部にスイッチを設け、該スイッチは二つの接点と一つの鋼球より構成し、鋼球の接点は常時導通状態に維持し、電球に接続する電線の一端は接地に接続し、他端は抵抗に直列連結した後、集積回路に連結し、集積回路は電池とスイッチとそれぞれに接続し、鋼球の上下移動のため、浮標内部に孔室を設けて、パッキングを塞いでおき、
前記の構成要素により、浮標は常時に点灯し位置表示し、魚が引いたとき、浮標は素早く沈み、鋼球の反応が遅いため、宙に浮いたまま、瞬間的の電気断線状態は、集積回路により検出され、ＬＥＤ電球は所定期間を点滅し、釣り人に魚引き信号を知らせ、構成要素はすべて浮標内部に覆うことを特徴とする魚引き通知機能の浮標構造。としている。
請求項２の考案は、請求項１記載の魚引き通知機能の浮標構造において、該鋼球は通常、接点と未接触状態を維持し、浮標を常時に点灯し浮標位置を表示し、魚が引いたとき、浮標は素早く沈み、鋼球の反応が遅いため、宙に浮いたまま、瞬間的の電気断線状態は、集積回路により検出され、ＬＥＤ電球は所定期間を点滅し、釣り人に魚引き信号を知らせ、構成要素はすべて浮標内部に覆うことを特徴とする魚引き通知機能の浮標構造としている。
請求項３の考案は、請求項１又は請求項２記載の魚引き通知機能の浮標構造において、該浮標の底部に貫通孔と挿入棒を設けることを特徴とする魚引き通知機能の浮標構造としている。
請求項４の考案は、請求項１又は請求項２記載の魚引き通知機能の浮標構造において、該集積回路より２本の電線を引き出して、二つの抵抗と二つのＬＥＤ電球に接続し、集積回路の制御により、二つの電球のいずれを常時点灯か、魚引きのときに点滅するかを集積回路より制御できることを特徴とする魚引き通知機能の浮標構造としている。
請求項５の考案は、請求項１又は請求項２記載の魚引き通知機能の浮標構造において、該スイッチ取付台にスイッチを取付け、該スイッチ取付台の両側に切り込み溝を設けて、Ｌ字形接点を組み込むことを特徴とする魚引き通知機能の浮標構造としている。
請求項６の考案は、請求項１又は請求項２記載の魚引き通知機能の浮標構造において、該ＬＥＤ電球は多色ＬＥＤを使用し、変色表示により、釣り人に魚引き信号を知らせることを特徴とする魚引き通知機能の浮標構造としている。
【考案の効果】
【０００９】
本考案の魚引き通知機能の浮標構造は、以下の効果を実現できる。
１．本考案の構造が単純で、特許文献１夜光表示の魚浮標構造と同等効果を実現するほか、構造が単純で、進歩性を有する。その上、信号が明確、かつ、安定であり、特許文献１の磁気吸着失敗並びに磁気減衰による誤動作を解消できる。
２．本考案は常時点灯により、浮標の位置表示、及び魚引き信号の知らせ機能を有する。
３．公知技術の浮標は底部より移動棒を延ばして設けるに対して、本考案はすべての構成要素を浮標内部覆うことにより、水侵入を防止し、破損を軽減する。
４．公知技術の磁気力により磁球を浮かせて、その移動を制御することは、実現が困難のうえ、明確な動作が期待できない。一方、本考案は鋼球の重さに、瞬間的な引き力量により制御するため、作動が明確である。
【考案を実施するための最良の形態】
【００１０】
図３に示すとおり、以下の構成要素を備えた一種の魚引き通知機能の浮標構造において、浮標ハウジング１０と浮標内部ベース２０の間に、ねじ山１１、２１及び漏れ防止ガスケット３０により締結し、水侵入を防止する。浮標内部は中空状を形成し、ＬＥＤ電球４０を収納し、電球４０の場所に外部チューブ４１を透明状に設け、外部より電球の照明状態を観察する。浮標内部に電気回路板５０、集積回路５２及び電池５４をそれぞれ設ける。スイッチ６０を設け、該スイッチ６０は二つの接点６１、６２及び鋼球６３より構成する。前記の構成要素を組み合わせることにより、使用のとき、浮標は常時に点灯する。
【００１１】
該電球４０は電線により集積回路５２、及び電池５４に接続し、電気供給を受ける。スイッチ６０を設け、オン/オフ制御し、スイッチ６０の場所に集積回路５２を直列に連結する。スイッチ６０は二つの接点６１、６２、及び一つの鋼球６３を設ける。浮標内部は鋼球６３の上下移動するための遊び空間を形成する。これにより、鋼球６３によりその接点６１、６２を常時導通状態に維持する。魚が引いたとき、素早く沈み、鋼球６３の反応が遅いため、上方に浮き上がり、電気を中断し集積回路５２の動作により、ＬＥＤ電球４０を一定時間に点滅させ、釣り人に魚引きを知らせる。
前記したスイッチ６０の孔室８０の開口部は、パッキング８１より塞いでおく、浮標の底部に貫通孔又は挿入棒７１を設ける。
【００１２】
図４に示すものは、本考案の電気回路図である。その構造は、主にスイッチ６０に備える二つの接点６１、６２は集積回路５２及び接地に連結する。電池５４は集積回路５２に接続し、集積回路５２の他端は抵抗５１、及び発光ＬＥＤ電球４０に接続する。本考案において、スイッチ６０の導通部材６４は鋼球６３を使用する。
使用開始のとき、導通部材６４の鋼球６３は二つの接点６１、６２と導通状態を形成し、電池５４の電気供給により、電球４０を常時点灯状態に維持する。該浮標内部の導通部材６４に備える鋼球６３は、魚が引くと浮標は素早く沈み、鋼球６３の反応が遅いため、一時的に宙に浮き、電気導通を中断する。該電気回路の中断信号は集積回路５２によって検出した後、点滅の点灯により、魚引きの知らせ効果を実現する。
【００１３】
図５に示すものは、魚が引いた瞬間、浮標は素早く下方へ引かれて行く、しかし、鋼球６３の反応が遅いため、宙に浮く状態となり、集積回路５２はその断線状態を検出し、常時点灯のＬＥＤ電球４０を二段式の点滅状態に制御し、魚引き信号を知らせる。
【００１４】
図６に示すとおり、該スイッチ取付台７２はスイッチ６０の取付場所を提供し、スイッチ取付台７２両側に切り込み溝７３を設けて、Ｌ字形接点６１、６２を取り付ける。
【００１５】
図７に示すとおり、該集積回路５２は２本の線を引き出して、抵抗９０、９１と発光ＬＥＤ電球９２、９３それぞれに接続した後、２本の電線を接地する。これにより、常時点灯のとき、そのうち一つの電球９２が点灯し、スイッチ６０の作動により魚引き信号を示すとき、集積回路５２の制御により、もう一つの電球９３を点滅させる。
【００１６】
本考案は細部に変化を行い、他に多くの実施例ができる。図８と図９は、本考案のもう一つの実施態様図である。そのうち、該スイッチ６０の二つの接点６５、６６はパッキング８１の裾部に設け、二つの接点６５、６６の間に間隔を置いて空間を設けることにより、二つの接点６５、６６は常時に閉回路の状態を形成し、集積回路５２の制御により、ＬＥＤ電球４２を点灯状態に維持する。本実施例において、該ＬＥＤ電球４２は多色のＬＥＤ電球４２を使用する。魚が引いた後、素早くに沈み、鋼球６３の反応が遅いため、宙に浮いたまま、二つの接点６５、６６を導通し、集積回路５２が動作し、ＬＥＤ電球４２に点滅点灯または多色点灯させ、魚引き信号の知らせ効果を実現する。
【図面の簡単な説明】
【００１７】
【図１】公知技術の夜光表示魚浮標構造の立体分解図である。
【図２】公知技術の夜光表示魚浮標構造の組合せ断面図である。
【図３】本考案の魚引き通知機能の浮標構造の断面図である。
【図４】本考案の魚引き通知機能の浮標構造の電気回路図である。
【図５】本考案の魚引き通知機能の浮標構造の断面動作図である。
【図６】本考案の魚引き通知機能の浮標構造のスイッチ取付部の立体概略図である。
【図７】本考案の魚引き通知機能の浮標構造の２灯式電気回路図である。
【図８】本考案の魚引き通知機能の浮標構造のもう一つ実施例の断面図である。
【図９】本考案の魚引き通知機能の浮標構造のもう一つ実施例の断面動作図である。
【符号の説明】
【００１８】
１  浮標本体上部
２  浮標本体下部
３  緑灯
３ａ  赤灯
４  電池ケース
４ａ  電気セット
５  コンタクトスイッチ
５ａ  磁石台
５ｂ  磁球
５ｃ  Ｌ字形接触シ―ト
５ｄ  Ｌ字形接触シ―ト
６  隔離片
７  調節ナット
８  バネ
９  釣り竿
１０  浮標ハウジング
１１  ねじ山
２０  浮標内部ベース
２１  ねじ山
３０  漏れ防止ガスケット
４０  ＬＥＤ電球
４１  外部チューブ
４２  ＬＥＤ電球
５０  電気回路板
５１  抵抗
５２  集積回路
５４  電池
６０  スイッチ
６１  接点
６３  鋼球
６４  導通部材
６５  接点
７１  挿入棒
７２  スイッチ取付台
７３  切込溝
８０  孔室
８１  パッキング
９０  抵抗
９１  抵抗
９２  電球
９３  電球
【図１】
0003128138.tif 000003
【図２】
0003128138.tif 000004
【図３】
0003128138.tif 000005
【図４】
0003128138.tif 000006
【図５】
0003128138.tif 000007
【図６】
0003128138.tif 000008
【図７】
0003128138.tif 000009
【図８】
0003128138.tif 000010
【図９】
0003128138.tif 000011